(57)【要約】【課題】従来は、ツイストカムなどを用いてタッピング機構を構成しているので、騒音が大きく、また小型化・軽量化しづらかった。【解決手段】肌に接触させるヘッド２０と、ヘッド２０に接触した肌をパッド３１で叩くタッピング機構３０とを備えた美肌装置において、タッピング機構３０は、パッド３１を一端に備え、ピストン運動によりヘッド２０からパッド３１を突出・後退させるシャフト３５と、ピストン運動の一方向へシャフト３５を付勢する付勢部材３６と、張力が加えられると、付勢部材３６の付勢力に抗う方向へシャフト３５に力を与える線材３７と、線材３７に張力を間欠的に加えるアクチュエータ３９とを有し、線材の張力でピストン運動を行う。【選択図】図３
2012086351.tif 000002
【特許請求の範囲】
【請求項１】
肌に接触させるヘッドと、このヘッドに接触した肌をパッドで叩くタッピング機構とを備えた美肌装置において、
上記タッピング機構は、上記パッドを一端に備え、ピストン運動により上記ヘッドから上記パッドを突出・後退させるシャフトと、
上記ピストン運動の一方向へ上記シャフトを付勢する付勢部材と、
張力が加えられると上記付勢部材の付勢力に抗う方向へ上記シャフトに力を与える線材と、
この線材に上記張力を間欠的に加えるアクチュエータと、を備えることを特徴とする美肌装置。
【請求項２】
前記ヘッドが、肌に塗布した美容液をイオン導入により浸透させる電極を備えることを特徴とする請求項１記載の美肌装置。
【請求項３】
前記タッピング機構が、ヘッドの表面とパッドの後退位置の間に空間を備えるようにしたことを特徴とする請求項１記載の美肌装置。
【請求項４】
前記タッピング機構が、互いに異なる面積を持ち、シャフトの一端に対し着脱自在に構成された２以上のパッドを交換可能に備えることを特徴とする請求項１記載の美肌装置。
【請求項５】
前記タッピング機構が、パッドの表面が凹曲面状の吸盤よりなることを特徴とする請求項１記載の美肌装置。
【発明の詳細な説明】
【技術分野】
【０００１】
この発明は、顔や腕などの肌をタッピングする美肌装置の分野に係るものである。
【背景技術】
【０００２】
タッピングとは、指先で肌を繰り返し軽く叩きリズミカルな振動を与える手軽なスキンケアの技法をいう。マッサージ効果のほか、リラックス効果や経穴刺激効果などが得られると言われており、エステティックサロンなどではサービス内容に普通に組み込まれている。【０００３】
また、このようなタッピングを実現したハンディタイプの美肌装置も存在する。例えば特許文献１（特に第５〜７頁、図４〜６）に開示された美肌装置は、イオン導入用電極と、パッドで肌を叩くタッピング機構とを備えている。美容液を塗布した肌に対して、イオン導入用電極によりイオン導入を行いつつタッピング機構のパッドで肌を叩き、美容液の有効成分の浸透をサポートする。【０００４】
この美肌装置では、ピストン運動によってヘッドの肌接触面からパッドを突出・後退させるシャフトと、シャフトを付勢する付勢部材と、シャフトに固定されたカムフロアと、カムフロアと係合して付勢部材の付勢力に抗しつつシャフトのピストン運動を制御するモータ駆動のツイストカムとによってタッピング機構を構成している。
【先行技術文献】
【特許文献】
【０００５】
【特許文献１】特開２００７−０２９５１８号公報
【発明の概要】
【発明が解決しようとする課題】
【０００６】
特許文献１の美肌装置では、ツイストカムなどを用いてタッピング機構を構成しているので、伝動系の摩擦による騒音が大きく、また小型化・軽量化がしづらく、いっそうのハンディ化を実現することが難しいという課題があった。【０００７】
この発明は上記の課題を解決するためになされたもので、タッピング機構を静穏化・小型化・軽量化することができ、いっそうハンディ化した美肌装置を提供することを目的とする。
【課題を解決するための手段】
【０００８】
請求項１の発明に係る美肌装置は、肌に接触させるヘッドと、このヘッドに接触した肌をパッドで叩くタッピング機構とを備えた美肌装置において、タッピング機構は、パッドを一端に備え、ピストン運動によりヘッドからパッドを突出・後退させるシャフトと、ピストン運動の一方向へシャフトを付勢する付勢部材と、張力が加えられると、付勢部材の付勢力に抗う方向へシャフトに力を与える線材と、この線材に張力を間欠的に加えるアクチュエータと、を備えるようにしたものである。【０００９】
請求項２の発明に係る美肌装置は、前記ヘッドが、肌に塗布した美容液をイオン導入により浸透させる電極を備えることを特徴とする。【００１０】
請求項３の発明に係る美肌装置は、前記タッピング機構が、ヘッドの表面とパッドの後退位置の間に空間を備えることを特徴とする。【００１１】
請求項４の発明に係る美肌装置は、前記タッピング機構が、互いに異なる面積を持ち、シャフトの一端に対し着脱自在に構成された２以上のパッドを交換可能に備えることを特徴とする。【００１２】
請求項５の発明に係る美肌装置は、前記タッピング機構が、パッドの表面が凹曲面状の吸盤よりなることを特徴とする。
【発明の効果】
【００１３】
以上のように、請求項１の発明によれば、タッピング機構のシャフトを線材の張力によりピストン運動するので、従来のカムによる場合と違い、摩擦音がなく静かであるという効果がある。また、形状の自由度が高く、狭い空間に実装してストロークを稼ぐことが可能で、タッピング機構の小型化・軽量化を図ることができ、いっそうハンディ化した美肌装置を提供できるという効果が得られる。【００１４】
請求項２の発明によれば、肌に塗布した美容液をイオン導入により浸透させる電極をヘッドに備えるので、タッピングと同時並行的にイオン導入が出来、美容液の浸透を促進してスキンケアの実効性を増進できるという効果が得られる。【００１５】
請求項３の発明によれば、タッピング機構は、ヘッドの表面とパッドの後退位置の間に空間を備えるので、パッドの飛び出しに勢いを付けることができ、力強くタッピングできるという効果が得られる。【００１６】
請求項４の発明によれば、タッピング機構は、互いに異なる面積を持ち、シャフトの一端に対し着脱自在に構成された２以上のパッドを備えるようにしたので、使用者の用途や好みに応じてパッドの面積を変更でき、変化に富んだタッピングを行うことができるという効果が得られる。【００１７】
請求項５の発明によれば、パッドの表面を凹曲面状に形成してパッドに吸盤作用を持たせて、肌を叩くだけでなく吸着して引っ張るので、肌に与える刺激が大きく血行の促進が果たせるという効果がある。
【図面の簡単な説明】
【００１８】
【図１】この発明の実施の形態１による美肌装置の斜視図で、（a）は装置全体の外観を示し、（b）は要部を分解して示す。
【図２】図１の装置の要部拡大斜視図で、パッドを取外した状態を示す。
【図３】図２の断面図で、（a）はパッドが後退した状態を示し、（b）は（a）のＡ−Ａ線に沿う要部断面を示す。
【図４】同じく図２の断面図で、（a）はパッドが突出した状態を示し、（b）は（a）のＡ−Ａ線に沿う要部断面を示す。
【図５】図１のタッピング機構の作用説明図である。
【図６】タッピング機構の概念図で、（a）は図２の例で、（b）は別の例を示す。
【図７】タッピング機構のさらに別の例の断面図で、（a）はパッドが後退した状態を示し、（b）はそのときのＡ―Ａ線に沿う要部側面図である。
【図８】図７の例のパッドが前進した状態を示す。（b）は（a）のＡ−Ａ線に沿う要部側面図である。
【図９】図１とは別の実施の形態による美肌装置の斜視図である。
【図１０】図９の装置の作用説明図で、（a）はパッドが突出して肌を押している状態を、（b）はパッドが肌に吸着した状態を、（c）はパッドが肌を引っ張っている状態を、それぞれ示す。
【発明を実施するための形態】
【００１９】
以下、図面を参照しつつ、この発明の実施の形態を詳細に説明する。
実施の形態１．
１０は美肌装置の使用者が握るハンドル、２０は使用者の肌と接触してイオン導入やタッピングを行うヘッドである。
【００２０】
１１Ａ，１１Ｂはイオン導入用電極であり、１１Ａはヘッド２０に設けた肌接触用の電極、１１Ｂはハンドル１０に設けた手のひら接触用の電極である。
１２は主電源のオンオフやタッピングの強さなどを調節する操作ボタン、１３は美肌装置の動作状況に応じて点灯／消灯する表示部であり、それぞれハンドル１０に取付ける。
さらに、図１のヘッド２０において、３１Ｌ、３１Ｓは肌を叩くためのパッドで、３１Ｌはパッド面の広いものを、また３１Ｓは狭いものを示す。これらを好みに応じて交換可能に取付ける。
【００２１】
図２，図３において、３０はタッピング機構、３２はタッピング機構３０のフレーム、３３はフレーム３２に形成した空洞部、３４は肌と接触するヘッド２０の肌接触面、３５はパッド３１を一端に備えピストン運動によりヘッド２０の肌接触面３４から外にパッド３１を突出したり空洞部３３の内部に後退させたりするシャフトである。
【００２２】
また、３６はピストン運動の後退方向へシャフト３５を付勢するコイルバネなどの付勢部材で、シャフト３５の基部３５Ａと、フレーム３２に一体の係止部３２Ａの間に介装されている。
３７は張力が加えられると付勢部材３６の付勢力に抗う前進方向へシャフト３５に力を加える線材、３８は線材３７の一端を固定するためのピンなどの固定部材、３９は線材３７に間欠的に張力を加えるモータなどのアクチュエータ、３９Ａは固定部材３８とともにシャフト３５を挟むように配置された巻き取り軸、４０，４１は案内ピンである。なお案内ピン４１はシャフト３５に一体的に取付けられている。固定部材３８の位置は、巻き取り軸３９Ａよりも肌接触面３４に近いか、またはほぼ同一の高さにある。
【００２３】
次に作用を説明する。
使用者がハンドル１０を握り、美容液を塗布した肌にヘッド２０の肌接触面３４を接触させると、身体を経由して電極１１Ａと１１Ｂが導通し、イオン導入作用が始まり、美容液がイオン化され肌の奥深くに送り込まれる。このとき、シャフト３５は、付勢部材３６の付勢力により図３の後退位置に押し下げられており、パッド３１とともにフレーム３２の空洞部３３内に収まっている。
【００２４】
ここで操作部１２を操作してアクチュエータ３９の駆動を開始すると、アクチュエータ３９が線材３７を巻き取り軸３９Ａに巻き取り、固定部材３８および巻き取り軸３９Ａの間の線材３７に張力が加わる。この線材３７によりシャフト３５が押し出され、図４に示すように、パッド３が肌接触面３４から突出して肌を叩く。
【００２５】
肌が叩かれると、アクチュエータ３９がいったん停止して線材３７の張力が緩み、このため、図３に示すように付勢部材３６の付勢力により、巻き取り軸３９Ａが逆転して線材３７が巻き解かれ、シャフト３５が後退方向へ押し下げられ、パッド３１が肌接触面３４から没入し空洞部３３内に再び原位置に収まる。ここで、アクチュエータ３９の駆動を間欠的に行うようにしているので、図３，図４の線材３７の緩めと巻き取りとが繰り返されてシャフト３５がピストン運動を繰り返し、パッド３１が連続的に肌を叩く。
アクチュエータ３９がモータの場合、モータ電源を周期的にオンとオフに切り替えることによりピストン運動が実現される。直流モータであれば、オフのとき電源回路を短絡して発電ブレーキを掛けると、巻き取り軸３９Ａの逆転に制動がかかって、線材３７の急激な巻き解きに起因する線材の絡みを防ぐことが出来る。モータ電源のオンオフ周期は毎秒10回程度が好ましい。
【００２６】
以上のタッピング機構３０により、マッサージ効果やリラックス効果、経穴刺激効果などを得る他、イオン導入用電極１１Ａ，１１Ｂによるイオン導入作用と組み合わせることで、美容液を塗布した肌に対して、美容液の有効成分の浸透をタッピング機構３０のタッピングでサポートし、スキンケアの実効性を増進する。
【００２７】
そしてこの実施の形態１では、ツイストカムなどを用いた従来と比べて、摩擦音がなく静かなうえ、形状の自由度が高く、タッピング機構３０の小型化・軽量化を図ることができる。
【００２８】
なお、図５に示すように、タッピング機構３０は、肌接触面３４からパッド３１が没入する側に空洞部３３を備えるようにしたので、肌接触面３４を肌Ｓに接触させた状態でシャフト３５が肌Ｓに向かって勢いを付けて運動できるようになり、キビキビとしたタッピングが可能となる。この際、肌Ｓに接触させていない場合にパッド３１が最高点Ｈに達するまでのエネルギーが、肌Ｓのタッピングの強さを決める。
【００２９】
以上の説明では、付勢部材３６の付勢力によりシャフト３５を後退させておき、アクチュエータ３９を駆動して線材３７を巻き取ることによりシャフト３５を付勢力以上の力で前進するようにしたが（図６（a））、これとは逆に、付勢部材３６の付勢力によりシャフト３５を前進させておき、アクチュエータ３９を駆動して線材３７を巻き取ることによりシャフト３５を付勢力以上の力で後退させてもよい。その場合は、肌接触面３４を肌に接触させたときの肌の張り・堅さによる反発力を付勢部材３６で吸収できる。
【００３０】
さらに、肌に塗布した美容液をイオン導入により浸透させるイオン導入用電極１１Ａ，１１Ｂは、この発明に必須の構成要素ではなく、省略することも可能である。
【００３１】
さらに、図１（ｂ）に示したように、互いに異なる面積を持ち、シャフト３５の一端に対し着脱自在に構成された２以上のパッド３１Ｌ，３１Ｓ（図ではパッドは２種類であるが、３種類以上であってもよい）をタッピング機構３０が備えることにより、使用者の用途や好みに応じてパッド３１の面積を変更でき、変化に富んだタッピングが可能となる。例えば、３１Ｌのようにパッド面の広いものは、強さが分散してやわらかく感じ、３１Ｓのようにパッド面の狭いものは、強さが集中して硬く感じる。
【００３２】
さらに、１台の美肌装置に備えるタッピング機構３０の数は１つに限定されるものではなく、タッピング機構３０を２つ以上備え、肌接触面３４を接触させた肌を各タッピング機構３０でそれぞれ叩くようにしても良い。このことにより、肌の２箇所以上に対して同時並行でタッピングを行うことができ、スキンケアの効率を向上することができる。
【００３３】
さらに、以上の説明では、図６（ａ）のように、シャフト３５の両側に固定部材３８と案内ピン４０を配し、線材３７を巻き取ってシャフト３５下部の案内ピン４１を引き上げていたが、この他にも図６（ｂ）のように、シャフト３５下端に固定部材３８を配して線材３７で引き上げてもよい。図６（ａ）の場合、線材３７を２ｃｍ巻き取ればシャフト３５が１ｃｍ引き上がるので強いタッピングが可能になり、図６（ｂ）の場合、線材３７を１ｃｍ巻き取ればシャフト３５が１ｃｍ引き上がるので速いタッピングが可能になる。
【００３４】
図７，８の実施の態様２では、図２の案内ピン４０に相当する定滑車４０Ａ、４０Ｂをシャフト３５の左右に並べ、さらに第三の定滑車４０Ｃを巻き取り軸３９Ａの隣に配した構成である。線材３７は、一端を巻き取り軸３９Ａに固定し、他端をフレーム３２に止着する。
この場合のシャフト３５は図７，８の（b）に示すように、その基端に直交する基部３５Ａの左右両端に支脚部３５Ｂを設け、これに付勢部材３６を取付ける。図中、３２Ａはフレーム３２に一体の係止部であり、付勢部材３６の一端を係止している。左右の支脚部３５Ｂはフレームの係止部３２Ａを摺動自在に貫通し、シャフト３５の直線往復運動を確保している。
アクチュエータ３９を駆動して、巻き取り軸３９Ａにより線材３７を巻き上げると、線材３７が緊張しその張力で案内ピン４１を介してシャフト３５を前進する。これによりパッド３１はヘッド２０の肌接触面３４より外に突き出て肌を叩く。
このとき付勢部材３６は図８（b）のように圧縮され、アクチュエータ３９が停止したとき、貯えられた反発力でシャフト３５を原位置に後退し、シャフト３５がピストン運動を行う。
この実施の態様２によれば、シャフト３５の左右に定滑車４０Ａ、４０Ｂを配置し、また第三の定滑車４０Ｃを巻き取り軸３９Ａの隣に配置する構成なので、作動音が静かであるという効果に加えて、アクチュエータ３９をシャフト３５の下方に設置して、タッピング機構をいっそう小型化できるという効果を奏する。
【００３５】
図９はパッド３１の表面を凹曲面状の吸盤に形成した例で、肌を押したり引っ張ったりできる。
その作用を図１０で説明すると、はじめにパッド３１が肌を押して凹曲面形状を平面に近い形状に変形し（a）、パッドを肌Ｓに密着した状態にする(b)。次にパッド３１が後退して密着した肌Ｓをそのまま引っ張る（c）。これを繰り返すことで肌の血行をよくすることができる。
なお図９の３４Ａはヘッド２０の肌接触面３４の形成した凹みで、これより指先を入れるとパッド３１を簡単に摘んで交換できる。
【符号の説明】
【００３６】
１０  ハンドル
１１Ａ  イオン導入用電極（肌接触用）
１１Ｂ  イオン導入用電極（手のひら接触用）
１２  操作部
１３  表示部
２０  ヘッド
３０  タッピング機構
３１，３１Ｌ，３１Ｓ  パッド
３２  フレーム
３３  空間
３４  肌接触面
３５  シャフト
３６  付勢部材
３７  線材
３８  固定部材
３９  アクチュエータ
３９Ａ  巻き取り軸
４０，４１  案内ピン
Ｓ  肌
【図１】
2012086351.tif 000003
【図２】
2012086351.tif 000004
【図３】
2012086351.tif 000005
【図４】
2012086351.tif 000006
【図５】
2012086351.tif 000007
【図６】
2012086351.tif 000008
【図７】
2012086351.tif 000009
【図８】
2012086351.tif 000010
【図９】
2012086351.tif 000011
【図１０】
2012086351.tif 000012
【国際調査報告】
2012086351.tif 000013
2012086351.tif 000014
2012086351.tif 000015